(57)【特許請求の範囲】
【請求項１】
並列に配設された複数本の幹線バー及び取付レールを有する幹線バーユニットを有し、前記幹線バーに電気的に接続するブレーカが着脱自在に取り付けられるプラグイン分電盤であって、
下側に開放する差し込み口が形成され、当該差し込み口が前記幹線バーに差し込まれる第１受金具と、差し込み口が形成され、前記第１受金具と電気的に接続され、前記ブレーカが取り付けられる第２受金具とからなる受金具部と、
前記受金具部を覆うように保持する絶縁体の筐体とから構成され、前記幹線バーユニットに取り付けられる基アダプタを有し、この筐体には第２受金具と同一位置に、差し込み孔が連通形成されており、
この基アダプタ上に取付けられてブレーカを支持する取付アダプタには前記差し込み孔を貫通して第２受金に差し込まれる差し込み片が突出されており、前記受金具部をブレーカの１個の端子に対して複数個配設するとともに、前記差し込み片の突出位置を変更することにより、ブレーカに接続する幹線バーを任意に選択可能とした
ことを特徴とするプラグイン分電盤。
【請求項２】
ブレーカを取り付けるとともに基アダプタに取り付けられる取付アダプタを更に有し、
前記取付アダプタは、
一端をブレーカの電源側と接続し、他端を前記第２受金具と接続する電源側導体と、
前記電源側導体を保持する絶縁体の筐体を有することを特徴とする請求項１記載のプラグイン分電盤
【請求項３】
ブレーカの負荷側と接続された負荷側導体と、
前記負荷側導体を保持する絶縁体の筐体を有し、
前記基アダプタは、
上側に開放した差し込み口が形成され、当該差し込み口に前記負荷側導体が差し込まれる負荷側受金具と、
前記負荷側受金具と電気的に接続し、負荷側導線が接続される出線端子を更に有することを特徴とする請求項２に記載のプラグイン分電盤。
【発明の詳細な説明】
【技術分野】
【０００１】
本発明は、幹線バーにブレーカがプラグイン式で取り付けられるプラグイン分電盤ユニットに関する。
【背景技術】
【０００２】
従来から特許文献１や特許文献２に示されるように、並列して配設された複数の幹線バーを有し、この幹線バーにプラグイン式のブレーカを抜き差して、容易に着脱することができるプラグイン分電盤が提案されている。このようなプラグイン分電盤は、ブレーカの増設や取り外しが容易であるという点で施工性に優れる。
【０００３】
引用文献１のプラグイン分電盤は、複数の幹線バーを挟んで配置された取付けレールを備えた構造のものである。このような構造のプラグイン分電盤は、取付けレールの前後両側に、ブレーカを取り付けることができ、多くの回路数が必要な場合に、分電盤を小さくすることが可能となっている。
【０００４】
引用文献２に記載のプラグイン分電盤は、幹線バー側に受金具を形成し、受金具用孔が形成され幹線バーを覆う保護カバーが取り付けられた構造のものであり、プラグインユニット側を差込刃としている。このような構造のプラグイン分電盤は、幹線バーや受金具が露出していないので、作業者が幹線バーや受金具に触れることが無く、感電が防止される。
【先行技術文献】
【特許文献】
【０００５】
【特許文献１】特開２００６−２３８５６２号公報
【特許文献２】特開２００８−０７９３９４号公報
【発明の概要】
【発明が解決しようとする課題】
【０００６】
特許文献１に示されるプラグイン分電盤は、ブレーカを取り外すと、幹線バーが露出してしまい、作業者が通電している幹線バーに触ってしまう恐れがある。
一方で、特許文献２に示されるプラグイン分電盤は、幹線バーが露出すること無く、感電の恐れが無いが、取付プラグが幹線バーに取り付けられているので、ブレーカの取付位置が決定されてしまい、ブレーカを取付可能な最大容量のピッチでしか取付けをすることができなかった。
本発明は、上記問題を解決し、ブレーカを取り外す場合に、安全に取り外し作業を行うことができるプラグイン分電盤を提供することを目的とする。
【課題を解決するための手段】
【０００７】
上記課題を解決するためになされた請求項１に記載の発明は、
並列に配設された複数本の幹線バー及び取付レールを有する幹線バーユニットを有し、前記幹線バーに電気的に接続するブレーカが着脱自在に取り付けられるプラグイン分電盤であって、
下側に開放する差し込み口が形成され、当該差し込み口が前記幹線バーに差し込まれる第１受金具と、差し込み口が形成され、前記第１受金具と電気的に接続され、前記ブレーカが取り付けられる第２受金具とからなる受金具部と、
前記受金具部を覆うように保持する絶縁体の筐体とから構成され、前記幹線バーユニットに取り付けられる基アダプタを有し、この筐体には第２受金具と同一位置に、差し込み孔が連通形成されており、
この基アダプタ上に取付けられてブレーカを支持する取付アダプタには前記差し込み孔を貫通して第２受金に差し込まれる差し込み片が突出されており、前記受金具部をブレーカの１個の端子に対して複数個配設するとともに、前記差し込み片の突出位置を変更することにより、ブレーカに接続する幹線バーを任意に選択可能とした
ことを特徴とする。
【０００８】
請求項２に記載の発明は、請求項１に記載の発明において、ブレーカを取り付けるとともに基アダプタに取り付けられる取付アダプタを更に有し、前記取付アダプタは、一端をブレーカの電源側と接続し、他端を前記第２受金具と接続する電源側導体と、前記電源側導体を保持する絶縁体の筐体を有することを特徴とする。
【０００９】
このため、ブレーカを交換する際には、ブレーカが取り付けられた取付アダプタを基アダプタから取り外して交換するので、幹線バーが露出することが無く、また、受金具部は筐体で覆われているので、安全に取り外し作業を行うことが可能となる。
また、容量や極数、形状が異なるブレーカに交換する際にも、交換するブレーカに合った取付アダプタ用意して、交換するブレーカ及び取付アダプタ交換するだけでよく、基アダプタを交換する必要が無く安全である。また、外形寸法が異なるブレーカを変更する際には取付アダプタを搭載した基アダプタごと交換することも可能となるのは当然のことである。
【００１０】
請求項３に記載の発明は、請求項２に記載の発明において、ブレーカの負荷側と接続された負荷側導体と、前記負荷側導体を保持する絶縁体の筐体を有し、前記基アダプタは、上側に開放した差し込み口が形成され、当該差し込み口に前記負荷側導体が差し込まれる負荷側受金具と、前記負荷側受金具と電気的に接続し、負荷側導線が接続される出線端子を更に有することを特徴とする。
【発明の効果】
【００１１】
本発明によれば、下側に開放する差し込み口が形成され、当該差し込み口が前記幹線バーに差し込まれる第１受金具と、差し込み口が形成され、前記第１受金具と電気的に接続され、前記ブレーカが取り付けられる第２受金具とからなる受金具部と、前記受金具部を覆うように保持する絶縁体の筐体とから構成され、前記幹線バーユニットに取り付けられる基アダプタを有することを特徴とする。
このため、ブレーカを取り外す場合に、幹線バーが露出することなく、また受金具部は筐体で覆われているので、安全にブレーカの取り外し作業を行うことができる。
また、ブレーカ負荷側の出線端子を基アダプタに形成したため、ブレーカの取り外し作業、取り付け作業において電線を取外し、取付け作業が省略できるものである。さらに、差し込み片の突出位置を変更することにより、ブレーカに接続する幹線バーを任意に選択可能としたので、特定の相に負荷が集中的に接続されることを防止することができる。
【図面の簡単な説明】
【００１２】
【図１】第１の実施形態のプラグイン分電盤の斜視図である。
【図２】基アダプタ及び取付アダプタを取り外した状態の斜視図である。（第１の実施形態）
【図３】第１の実施形態のプラグイン分電盤の断面図である。
【図４】基アダプタ及び取付アダプタの筐体を除いた状態の斜視図である。（第１の実施形態）
【図５】第２の実施形態のプラグイン分電盤の斜視図である。
【図６】第３の実施形態のプラグイン分電盤の斜視図である。
【図７】第３の実施形態の取付アダプタの斜視図である。
【図８】第３の実施形態の取付アダプタの斜視図である。
【発明を実施するための形態】
【００１３】
（第１の実施形態）
以下に図面を参照しつつ、本発明の好ましい実施の形態（第１の実施形態）を示す。図１に示されるように、本発明のプラグイン分電盤１００は、幹線ユニット１０、基アダプタ２０、取付アダプタ３０とから構成されている。幹線ユニット１０は、並列して垂直に配設された複数の幹線バー１１が一対の取付レール１２間に組付られて構成されている。図に示される実施形態では、プラグイン分電盤１００は、４本の幹線バー１１を有する、３相４線式の分電盤である。
本実施形態では、取付レール１２の断面形状は、“コ”字形状であり、取付レール１２は、開放部分が互いに向合わせとなるように配設されている。取付レール１２の上面は、基アダプタ２０が載置される載置面１２ａとなっている。
取付アダプタ３０には、ブレーカ８０が取り付けられ、基アダプタ２０には取り付けアダプタ３０が取り付けられる。
【００１４】
図３に示されるように、基アダプタ２０には、複数の受金具部２１が並列に配設されている。これら複数の受金具部２１は、合成樹脂等の絶縁体で構成された筐体２２で覆われて保持されている。
受金具部２１は、下側に開放した差し込み口２１ｄが形成された第１受金具２１ａと、上側に開放した差し込み口２１ｅが形成された第２受金具２１ｂとから構成されている。第１受金具２１ａ及び第２受金具２１ｂは、弾性金属板が左右対称に屈曲されて形成されている。第１受金具２１ａと第２受金具２１ｂとは、それぞれの基部が接合されて、電気的に接続している。受金具部２１と幹線バー１１は同一ピッチに配設されている。基アダプタ２０には、第１受金具２１ａ（幹線バー１１）と電気的に接続しない上側に開放した差し込み口２３ａ、２４ａが形成された負荷側受金具部２３、２４が、第２受金具２１ｂに並設されている。負荷側受金具２３、２４は、筐体２２に覆われて保持されている。
【００１５】
筐体２２の長手方向両側の下面には、水平な面である固定面２２ａ、２２ｂが形成されている。筐体２２の下部には、下側に開放した差し込み口２２ｃが、第１受金具２１ａの配置位置と長手方向同一位置に形成されている。図２に示されるように、筐体２２には、水平面である載置部２２ｄが形成されている。筐体２２長手方向両側には、支持部２２ｅ、２２ｆが立ち上がり形成されている。載置部２２ｄには、第２受金具２１ｂ及び負荷側受金具２３、２４の配置位置と同一位置に、差し込み孔２２ｉが連通形成されている。このような構造とすることより、第２受金具２１bの露出が最小限となり、充電部に触れられないものである。図３や図４に示されるように、負荷側受金具２３、２４には、それぞれ、出線端子２５、２６が電気的に接続されている。出線端子２５、２６は、外部に露出するように筐体２２に取り付けられている。出線端子２５、２６には、それぞれ、負荷側導体９１、９２の負荷側導体端子９１ａ、９２ａが接続される。
【００１６】
図１に示されるように、基アダプタ２０の差し込み口２２ｃを、幹線バー１１に合致させて、基アダプタ２０を幹線ユニット１０に取り付けると、図４に示されるように、それぞれの幹線バー１１が、それぞれの第１受金具２１ａの差し込み口２１ｄに差し込まれる。この状態では（図１の状態）、固定面２２ａ、２２ｂが取付レール１２の載置面１２ａに載置されて、基アダプタ２０が安定的に取付レール１２に取り付けられるようになっている。本実施形態においては幹線バー１１の数と受金具部２１の数が同数で形成してあるが、使用する受金具部２１のみを基アダプタ２０に形成するもので有って良いものである。
【００１７】
図１〜図４に示されるように、取付アダプタ３０は、ブレーカ８０の外郭を沿うように折曲形成された電源側導体３２、３３及び負荷側導体３４、３５と、これら導体を保持する絶縁体の筐体３１を有している。取付アダプタ３０は、ブレーカ８０を固定し、ブレーカ８０と基アダプタ２０とを電気的に接続するものである。本実施形態では、取付アダプタ３０の筐体３１は、開放部分が上方を向いた略“コ”字形状であり、ブレーカ８０の両側端及び下端を取り囲んで、ブレーカ８０を固定する。電源側導体３２、３３は、ブレーカ８０の電源側と接続し、負荷側導体３４、３５は、ブレーカ８０の負荷側と接続する。
図３や図４に示されるように、電源側導体３２、３３及び負荷側導体３４、３５と電気的に接続し、基アダプタ２０の第２受金具２１ｂ、負荷側受金具２３に差し込まれる差し込み片３２ａ、３３ａ、３４ａ、３５ａが筐体３１の下端から下方に突出形成されている。本実施形態では、差し込み片３２ａ、３３ａ、３４ａ、３５ａは、それぞれ、電源側導体３２、３３及び負荷側導体３４、３５と一体に形成されている。なお、差し込み片３２ａ、３３ａ、３４ａ、３５ａが、可撓撚り線等の導体で、それぞれ、電源側導体３２、３３、負荷側導体３４、３５と電気的に接続されている構成であっても差し支えない。なお、本実施形態においては“コ”字形状に形成した取付アダプタ３０の筐体３１について説明したが、取付アダプタ３０の負荷側導体３４、３５の保持部のみを分割可能に形成し、取付アダプタ３０を基アダプタ２０に取り付けてから保持部のみを後から取りつけが可能となるような形状でも良いものである。
【００１８】
取付アダプタ３０の差し込み片３２ａ、３３ａ、３４ａ、３５ａを、基アダプタ２０の差し込み孔２２ｉに差し込むと、図４に示されるように、差し込み片３２ａ、３３ａが第２受金具２１ｂに差し込まれて接続され、差し込み片３４ａ、３５ａが負荷側受金具２３、２４に差し込まれて接続される。この状態では、ブレーカ８０の電源側は幹線バー１１と電気的に接続し、ブレーカ８０の負荷側は負荷側導体９１、９２と電気的に接続している。図１に示されるように、取付アダプタ３０の両側端は、基アダプタ２０の支持部２２ｅ、２２ｆで挟まれ、取付アダプタ３０が、ぐらつかずに安定して、基アダプタ２０に取り付けられる。
【００１９】
なお、図においては、便宜的に幹線ユニット１０に一つの基アダプタ２０のみ取り付けられている状態が表されているが、実際には、幹線ユニット１０には、複数の基アダプタ２０が密接した状態で取り付けられたり、従来のプラグインユニットなどが取り付けられていて幹線バー１１が露出しないようになっている。
ブレーカ８０を交換する際には、ブレーカ８０が取り付けられた取付アダプタ３０を基アダプタ２０から取り外して交換するので、幹線バー１１が露出することが無く、また、受金具部２１は筐体２２で覆われているので、安全に取り外し作業を行うことができる。
なお、容量や形状が異なるブレーカ８０に交換する際には、交換するブレーカ８０に合った取付アダプタ３０を用意し、前記交換するブレーカ８０及び取付アダプタ３０交換するだけでよく、基アダプタ２０を交換する必要が無く、安全である。また、外形寸法が異なるブレーカを変更する際には取付アダプタを搭載したまま基アダプタを交換することも可能となるのは当然のことである。
【００２０】
なお、取付アダプタ３０の下端から突出する差し込み片３２ａ、３３ａの位置は、図に示される実施形態に限定されず、差し込み片３２ａ、３３ａの取付アダプタ３０の下端からの突出位置を変更させた基アダプタ２０を用意することにより、電源側導体３２、３３と接続させたい幹線バー１１を任意に選択することができるようになっている。
【００２１】
従来では、プラグイン分電盤に取り付けられたブレーカ８０を交換する場合には、ブレーカ８０に接続された負荷側導体９１、９２を付け直す必要があり、煩雑であった。本実施形態では、基アダプタ２０は、負荷側導体９１、９２が接続される出線端子２５、２６を有しているので、取付アダプタ３０に取り付けられたブレーカ８０を交換する場合には、負荷側導体９１、９２を付け直す必要が無く、作業性が向上する。
【００２２】
（第２の実施形態）
図５に第２の実施形態のプラグイン分電盤２００を示し、以下に、第１の実施形態のプラグイン分電盤１００と異なる点について第２の実施形態のプラグイン分電盤２００を説明する。第２の実施形態では、取付アダプタ５０は、ブレーカ８０の電源側端子のみを覆う略“L”字形状である。また、基アダプタ４０には、負荷側導体が接続する出線端子は有していない。負荷側導体９１、９２は、直接ブレーカ８０の負荷側に接続される。なお、第１の実施形態及び第２の実施形態においては第２受金具２１ｂが上側開放された構造について説明したが、ブレーカ８０の電源側付近にブレーカ８０方向に開放させた第２受金具２１ｂを形成し、ブレーカ８０からの電源側導体を差し込み、第１受金具２１ａと第２受金具２１ｂを導体などで電気的に接続させるような構造であっても問題ないものである。
【００２３】
（第３の実施形態）
図６〜図８に第３の実施形態のプラグイン分電盤３００を示し、以下に、第１の実施形態のプラグイン分電盤１００と異なる点について第３の実施形態のプラグイン分電盤３００を説明する。図６に示されるように、第３の実施形態では、取付レール１３の載置面１３ａには、一定間隔をおいて取付孔１３ｂが形成されている。第３の実施形態の基アダプタ６０の筐体６１の両端には、取付孔６１ａが形成されている。取付ネジを取付孔６１ａに挿入して取付孔１３ｂに係合させることにより、基アダプタ６０を取付レール１３に確実に固定できるようになっている。基アダプタ６０の筐体６１には、係止片受部６１ｂが形成されている。
【００２４】
図７や図８に示されるように、第３の実施形態の取付アダプタ７０は、ブレーカ８０の電源側端子のみを覆う略“L”字形状の筐体７１と、この筐体７１に着脱自在に配設されブレーカ８０の外郭に沿うように折曲形成された電源側導体７２、７３、負荷側導体７４、７５とから構成されている。筐体７１の負荷側には、板状の負荷側導体受部７１ａが形成されていて、負荷側導体受部７１ａには複数の負荷側導体受け孔７１ｂ、７１ｃが形成されている。図８に示されるように、筐体７１の底面であるブレーカ載置部７１ｅには、幹線バー１１と同一ピッチで電源側導体挿入孔７１ｆが連通形成されている。電源側導体挿入孔７１ｆは上方側が幅広となっていて、傾斜した案内面７１ｇが形成されている。これにより、電源側導体７２、７３の差し込み片７２ａ、７３ａが、案内面７１ｇで案内されて電源側導体挿入孔７１ｆに挿入されやすくなっている。取付アダプタ７０の筐体７１には係止片７１ｈが形成され、基アダプタ６０には該係止片７１ｈを係止させる係止片受部６１ｂが形成されている。係止片受部７１ｈの上部には孔部７１ｊが形成されており、取付アダプタ７０の係止を外す場合ドライバなどの工具の先端を差し込み係止片７１ｈの係止を解除させるものである。また、取付アダプタ７０の電源側には取付孔７１ｋ、基アダプタ６０に取付孔６１ｃを形成し取り付けするものである。このため、取付アダプタ７０が確実に基アダプタ６０に係止される。筐体７１には、ブレーカ８０を固定するストッパー７１ｉが形成されている。このため、ブレーカ８０が確実に取付アダプタ７０に取り付けられる。
【００２５】
第３の実施形態では、電源側導体７２、７３、負荷側導体７４、７５が筐体７１に対して着脱自在となっているので、筐体７１を基アダプタ６０に取り付けてから、ブレーカ８０及び電源側導体７２、７３を、筐体７１に取り付けることができるようになっている。なお、この場合、負荷側導体７４，７５が露出した状態となるので絶縁体の筐体を被せて負荷側導体７４、７５を保持し、露出を防ぐものである。
【００２６】
以上説明した実施形態では、プラグイン分電盤１００は４本の幹線バー１１を有する３相４線式の分電盤であるが、３本の幹線バー１１を有する単相３線式やその他の方式の分電盤にも本発明の技術的思想が適用可能なことは言うまでもない。
【００２７】
以上説明した実施形態では、ブレーカ８０は、取付アダプタ３０、５０、７０に取り付けられて、当該取付アダプタ３０、５０、７０を介して、基アダプタ２０、３０、４０に取り付けられる構成であるが、ブレーカ８０が直接、基アダプタ２０、３０、４０に取り付けられる構成であっても差し支えない。
【００２８】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うプラグイン分電盤もまた技術的範囲に包含されるものとして理解されなければならない。    
【符号の説明】
【００２９】
１０    幹線ユニット
１１    幹線バー
１２    取付レール（第１の実施形態、第２の実施形態）
１２ａ  載置面
１３    取付レール（第３の実施形態）
１３ａ  載置面
１３ｂ  取付孔
２０    基アダプタ（第１の実施形態）
２１    受金具部
２１ａ  第１受金具
２１ｂ  第２受金具
２１ｄ  差し込み口
２１ｅ  差し込み口
２２    筐体
２２ａ  固定面
２２ｂ  固定面
２２ｃ  差し込み口
２２ｄ  載置部
２２ｅ  支持部
２２ｆ  支持部
２２ｉ  差し込み孔
２３    負荷側受金具
２３ａ  差し込み口
２４    負荷側受金具
２５    出線端子
２６    出線端子
３０    取付アダプタ（第１の実施形態）
３１    筐体
３２    電源側導体
３２ａ  差し込み片
３３    電源側導体
３３ａ  差し込み片
３４    負荷側導体
３４ａ  差し込み片
３５    負荷側端子
３５ａ  差し込み片
４０    基アダプタ（第２の実施形態）
５０    取付アダプタ（第２の実施形態）
６０    基アダプタ（第３の実施形態）
６１    筐体
６１ａ  取付孔
６１ｂ  係止片受部
６１ｃ  取付孔
７０    取付アダプタ（第３の実施形態）
７１    筐体
７１ａ  負荷側導体受部
７１ｂ  負荷側導体受け孔
７１ｃ  負荷側導体受け孔
７１ｅ  ブレーカ載置部
７１ｆ  電源側導体挿入孔
７１ｇ  案内面
７１ｈ  係止片
７１ｉ  ストッパー
７１ｊ  孔部
７１ｋ  取付孔
７２    電源側導体
７２ａ  差し込み片
７３    電源側導体
７３ａ  差し込み片
７４    負荷側導体
７４ａ  差し込み片
７５    負荷側導体
７５ａ  差し込み片
８０    ブレーカ
９１    負荷側導線
９１ａ  負荷側導線端子
９２    負荷側導線
９２ａ  負荷側導線端子
１００  プラグイン分電盤（第１の実施形態）
２００  プラグイン分電盤（第２の実施形態）
３００  プラグイン分電盤（第３の実施形態）
【図１】
0005574487.tif 000002
【図２】
0005574487.tif 000003
【図３】
0005574487.tif 000004
【図４】
0005574487.tif 000005
【図５】
0005574487.tif 000006
【図６】
0005574487.tif 000007
【図７】
0005574487.tif 000008
【図８】
0005574487.tif 000009